(57)【要約】      （修正有）【課題】水分を排除して釣魚の劣化を防ぎ且つ複数の釣魚を整列配置して良好な保冷輸送を可能にする釣魚トレイの提供。【解決手段】釣魚トレイ１０は、トレイ本体１１を有する。トレイ本体１１は金属からなる。このトレイ本体１１の両端縁に第１段丘部材１２及び第２段丘部材１３が設けられる。各段丘部材１２、１３は、樹脂により成形されており、ネジを介してトレイ本体１１に着脱自在に取り付けられている。第１段丘部材１２の内底部に排水孔が設けられている。この排水孔に連続する案内面が形成されている。案内面は、漏斗状をなす。【選択図】図１
2019103411.tif 000002
【特許請求の範囲】
【請求項１】
釣魚が載置される載置面を形成する基板部及び当該基板部の対向する側縁に立設され、当該側縁から隆起した一対の側板部を有するトレイ本体と、
当該トレイ本体の両端縁に設けられ、上記トレイ本体と協働して釣魚を収容する収容室を区画する一対の段丘部材とを備え、
一方の段丘部材の内壁に外側に向かって凹んだ第１湾処部が形成され、他方の段丘部材の内壁に外側に向かって凹んだ第２湾処部が形成されており、上記第１湾処部及び第２湾処部の内奥部に排水孔が形成されている釣魚トレイ。
【請求項２】
上記基板部は、上記載置面の中央部に頂が形成されるように湾曲されている請求項１に記載の釣魚トレイ。
【請求項３】
上記第１湾処部及び第２湾処部は、上記排水孔に向かって傾斜する案内面を有する請求項１又は２に記載の釣魚トレイ。
【請求項４】
上記一方の段丘部材の第１湾処部の外底面に突起が形成され、上記他方の段丘部材の上面に上記突起が係合可能な係合孔が設けられている請求項１から３のいずれかに記載の釣魚トレイ。
【請求項５】
上記段丘部材の端縁中央に切欠部が設けられている請求項１から４のいずれかに記載の釣魚トレイ。
【請求項６】
上記段丘部材は、上記トレイ本体の端縁が嵌め込まれる嵌合凹部を有し、上記基板部及び側板部に着脱自在に取り付けられている請求項１から５のいずれかに記載の釣魚トレイ。
【請求項７】
上記一方の段丘部材及び他方の段丘部材にそれぞれ異なる色が付されている請求項１から６のいずれかに記載の釣魚トレイ。
【請求項８】
上記トレイ本体は、屈曲された単一の金属板からなる請求項１から７のいずれかに記載の釣魚トレイ。
【請求項９】
上記一対の段丘部材は、把手を形成し、
上記第１湾処部は、一方の段丘部材の内壁の中央部に配置され、
上記第２湾処部は、他方の段丘部材の内壁の両隅部に配置されている請求項１から８のいずれかに記載の釣魚トレイ。
【請求項１０】
上記段丘部材は、樹脂からなる請求項１から９のいずれかに記載の釣魚トレイ。
【発明の詳細な説明】
【技術分野】
【０００１】
この発明は、イカその他の釣魚を保冷輸送するためのトレイの構造に関する。
【背景技術】
【０００２】
釣魚は、保冷された状態で輸送されなければならない。一般に、釣魚は、クーラーボックスに氷と共に収容されることによって保冷され、輸送される。ところで、複数の釣魚がクーラーボックス内に無造作に収容されると、庫内で釣魚同士が押し付け合い、鮮魚として劣化する。そのため、仕切り板によって庫内がシステマティックに区画され、複数の釣魚が整列して収納されるクーラーボックスが提案されている（たとえば、特許文献１参照）。
【先行技術文献】
【特許文献】
【０００３】
【特許文献１】特開平１１−１０００６９号公報
【発明の概要】
【発明が解決しようとする課題】
【０００４】
しかしながら、釣魚が庫内で氷に直接触れてしまうと、釣魚の表面が変色する。また、氷が溶けることにより生じた水に釣魚が浸れば、身がふやけてしまう。かかる不都合は、特に釣魚がイカである場合に顕著であり、釣魚を劣化させず且つ鮮度も落とさずに輸送することは、釣人にとって容易ではなかった。
【０００５】
そこで、本発明の目的は、氷等の保冷材及び水分との直接接触を回避して複数の釣魚を整列配置し、良好な保冷輸送を可能にする釣魚トレイを提供することである。
【課題を解決するための手段】
【０００６】
(1) 本発明に係る釣魚トレイは、釣魚が載置される載置面を形成する基板部及び当該基板部の対向する側縁に立設され、当該側縁から隆起した一対の側板部を有するトレイ本体と、当該トレイ本体の両端縁に設けられ、上記トレイ本体と協働して釣魚を収容する収容室を区画する一対の段丘部材とを備える。一方の段丘部材の内壁に外側に向かって凹んだ第１湾処部が形成され、他方の段丘部材の内壁に外側に向かって凹んだ第２湾処部が形成されており、上記第１湾処部及び第２湾処部の内奥部に排水孔が形成されている。
【０００７】
この構成によれば、基板部の両端縁に一対の段丘部材が設けられることにより、当該段丘部材の内壁並びに上記基板部及び側板部により、収容室が形成される。釣魚は、基板部の載置面上に載置されることにより、上記載置面から脱落することなく上記収容室内に安定的に配置される。クーラーボックス内に配置された氷その他の保冷材から水が発生したとしても、当該水は、上記一対の段丘部材に形成された第１湾処部及び第２湾処部へ流れ、排水孔から外部へ排出される。したがって、釣魚に過剰な水分が付着することがない。
【０００８】
(2) 上記基板部は、上記載置面の中央部に頂が形成されるように湾曲されているのが好ましい。
【０００９】
この構成では、基板部上の水分は、速やかに基板部と側板部との境界の方へ、あるいは段丘部材側へ流れる。したがって、釣魚に余分な水分が付着することが確実に防止される。
【００１０】
(3) 上記第１湾処部及び第２湾処部は、上記排水孔に向かって傾斜する案内面を有するのが好ましい。
【００１１】
この構成では、第１湾処部及び第２湾処部に流れた水分は、案内面に案内されてより速やかに排出される。
【００１２】
(4) 上記一方の段丘部材の第１湾処部の外底面に突起が形成され、上記他方の段丘部材の上面に上記突起が係合可能な係合孔が設けられているのが好ましい。
【００１３】
この構成では、前述のように一の釣魚トレイの上に、向きを変えた他の釣魚トレイが積み重ねられる場合、すなわち、下段の釣魚トレイの第２湾処部の上に上段の釣魚トレイの第１湾処部が配置される場合に、上記突起が上記係合孔に嵌め合わされる。これにより、積み重ねられた釣魚トレイ同士が位置決めされ、安定して積み上げられる。
【００１４】
(5) 上記段丘部材の端縁中央に切欠部が設けられているのが好ましい。
【００１５】
この構成では、釣人の指が上記切欠部に接触することにより、釣人は、当該釣魚トレイの中央を容易に把握することができ、安定的に持つことができる。また、釣人が複数の釣魚トレイを積み重ねる場合、下段の釣魚トレイに設けられた切欠部に対して上段の釣魚トレイに設けられた切欠部を簡単に位置合わせすることができるので、釣魚トレイの積み上げ作業が容易になる。
【００１６】
(6) 上記段丘部材は、上記トレイ本体の端縁が嵌め込まれる嵌合凹部を有し、上記基板部及び側板部に着脱自在に取り付けられるのが好ましい。
【００１７】
この構成によれば、段丘部材がトレイ本体とは別部材として構成される。段丘部材がトレイ本体の端部に嵌め込まれるだけで、簡単に釣魚トレイが組み立てられる。段丘部材は、トレイ本体側にたとえばネジにより締結されてもよい。この場合、段丘部材は確実にトレイ本体に固定され、簡単に取り外される。しかも、トレイ本体のサイズが変更された場合であっても、段丘部材の互換性が維持される。したがって、クーラーボックスの容量に合致した様々なサイズの釣魚トレイが簡単に製造される。
【００１８】
(7) 上記一方の段丘部材及び他方の段丘部材にそれぞれ異なる色が付されているのが好ましい。
【００１９】
この構成では、釣人が釣魚トレイを積み重ねる場合、同色同士を隣り合わせにすれば各釣魚トレイは密着して重ね合わされ、異なる色同士を隣り合わせにすれば、隙間を空けて積み重ねられる。したがって、複数の釣魚トレイを収納する作業、又は複数の釣魚を収容する作業の双方を簡単に行うことができる。
【００２０】
(8) 上記トレイ本体は、屈曲された単一の金属板からなるのが好ましい。
【００２１】
この構成では、トレイ本体の熱伝導率が高く、釣魚の保冷効果が高くなる。
【００２２】
(9) 上記一対の段丘部材は、把手を形成しているのが好ましい。上記第１湾処部は、一方の段丘部材の内壁の中央部に配置され、上記第２湾処部は、他方の段丘部材の内壁の両隅部に配置されているのが好ましい。
【００２３】
この構成では、釣人は、一対の段丘部材を把手として使用することができる。したがって、釣人は、当該釣魚トレイを容易にハンドリングすることができ、たとえばクーラーボックスの庫内に容易に収容することができる。
【００２４】
上記第１湾処部は、一方の段丘部材の内壁の中央部が外側に向かって凹むことにより形成され、上記第２湾処部は、他方の段丘部材の内壁の両隅部が外側に向かって凹むことにより形成される。
【００２５】
一の釣魚トレイの上に他の釣魚トレイが積み重ねられる場合、一方の段丘部材同士及び他方の段丘部材同士が隣り合うように配置されれば、下段の釣魚トレイの第１湾処部の上に上段の釣魚トレイの第１湾処部が重なり、且つ下段の釣魚トレイの第２湾処部の上に上段の釣魚トレイの第２湾処部が重なることになる。下段の釣魚トレイの第１湾処部は上段の釣魚トレイの第１湾処部ど同一形状であり、下段の釣魚トレイの第２湾処部は上段の釣魚トレイの第２湾処部と同一形状であるから、両釣魚トレイは、上下に嵌め合わされ、密に重なり合うことができる。したがって、複数の釣魚トレイは、コンパクトに収納され得る。
【００２６】
また、一の釣魚トレイの上に、向きを変えた他の釣魚トレイが積み重ねられる場合、すなわち、下段の釣魚トレイの第２湾処部の上に上段の釣魚トレイの第１湾処部が配置される場合は、両者の形状が異なるために嵌合することができず、一方の段丘部材の上に他方の段丘部材が載置された状態となる。このため、両釣魚トレイは上下方向に段丘部材の高さ寸法に対応する隙間を形成して重なり合う。したがって、釣魚が配置された状態で複数の釣魚トレイが積み重ねられても、釣魚同士の接触、釣魚と釣魚トレイとの接触あるいは釣魚と氷その他の保冷材との接触が回避されるし、しかも、クーラーボックスの庫内のスペースを効率的に活用して多数の釣魚が収容される。
【００２７】
(10)上記段丘部材は、樹脂からなるのが好ましい。
【００２８】
この構成では、複雑な段丘部材が簡単且つ安価に成形される。したがって、釣魚トレイの製造コストが抑えられる。
【発明の効果】
【００２９】
この発明によれば、釣魚トレイに載置された釣魚は、氷等の保冷材や水分との直接接触が回避されるので、たとえばクーラーボックスの庫内に釣魚トレイが配置されれば、釣魚の劣化や鮮度の低下が防止され、良好な保冷輸送が可能となる。しかも、釣魚トレイは積み重ねが可能であるから、複数の釣魚は、庫内で効率的に整列配置される。
【図面の簡単な説明】
【００３０】
【図１】図１は、本発明の一実施形態に係る釣魚トレイ１０の外観斜視図である。
【図２】図２は、本発明の一実施形態に係るトレイ本体１１の斜視図である。
【図３】図３は、図２におけるIII−III断面図である。
【図４】図４は、本発明の一実施形態に係る第１段丘部材１２の斜視図である。
【図５】図５は、本発明の一実施形態に係る第２段丘部材１３の斜視図である。
【図６】図６は、図４におけるVI−VI断面図である。
【図７】図７は、図５におけるVII−VII断面図である。
【図８】図８は、図４における要部拡大図である。
【図９】図９は、図５の要部拡大図である。
【図１０】図１０は第１段丘部材１２の裏面側斜視図である。
【図１１】図１１は、第２段丘部材１３の裏面側斜視図である。
【図１２】図１２は、図４におけるXII−矢視図である。
【図１３】図１３は、図５におけるXIII−矢視図である。
【図１４】図１４は、第１の変形例にかかるトレイ本体７１の断面図である。
【図１５】図１５は、第２の変形例にかかる第１段丘部材８２、第２段丘部材８３の構造を示す斜視図である。
【発明を実施するための形態】
【００３１】
以下、本発明の好ましい実施形態が、適宜図面が参照されながら説明される。なお、本実施の形態は、本発明に係る釣魚トレイの一態様にすぎず、本発明の要旨を変更しない範囲で実施態様が変更されてもよいことは言うまでもない。
【００３２】
１．概略構成と特徴点
【００３３】
図１は、本発明の一実施形態に係る釣魚トレイ１０の外観斜視図である。
【００３４】
釣魚トレイ１０は、釣人が釣った魚（釣魚）を載置面３２上で保持するものである。この釣魚トレイ１０は、たとえばクーラーボックス内に配置されることにより、複数の釣魚が庫内で整列した状態で保存される。釣魚トレイ１０は、トレイ本体１１と、このトレイ本体１１の一端側及び他端側にそれぞれ設けられた第１段丘部材１２（特許請求の範囲に記載された「一方の段丘部材」に相当）及び第２段丘部材１３（特許請求の範囲に記載された「他方の段丘部材」に相当）とを有する。
【００３５】
本実施形態に係る釣魚トレイ１０の特徴とするところは、トレイ本体１１内の余分な水分が第１段丘部材１２及び第２段丘部材１３から排出されるようになっている点、釣魚がトレイ本体１１上に載置された状態で、複数の釣魚トレイ１０が上下方向３７に積み重ねられるようになっている点である。これにより、釣魚トレイ１０がたとえばクーラーボックスその他の保冷庫に収容された場合、釣魚の劣化が防止されつつ、鮮度を保って搬送されるようになっている。
【００３６】
２．トレイ本体
【００３７】
図２は、トレイ本体１１の斜視図である。図３は図２におけるIII−III断面図である。
【００３８】
これらの図が示すように、トレイ本体１１は、基板部１４及び当該基板部１４の側縁１５、１６（特許請求の範囲に記載された「一対の側縁」に相当）に連続する側板部１７、１８を有する。トレイ本体１１は、金属（本実施形態ではステンレス鋼又はアルミニウム合金）からなり、基板部１４及び側板部１７、１８は一体的に形成されている。すなわち、トレイ本体１４は、単一の金属板２１が屈曲されることにより成形されている。トレイ本体１４の肉厚は、０．４ｍｍ〜２．０ｍｍである。
【００３９】
この金属板２１は、所定部位２２、２３において上方に折り曲げられている。この所定部位２２、２３が基板部１４の側縁１５、１６を形成している。当該所定部位２２、２３と、当該金属板２１の一端縁２４及び他端縁２５（特許請求の範囲に記載された「両端縁」に相当）とにより、上記基板部１４が区画されている。釣魚は、この基板部１４の上面、すなわち上記載置面３２上に載置される。基板部１４の外形形状は、本実施形態では矩形であるが、特に限定されない。本実施形態では、基板部１４の短辺方向１９（上記側縁１５、１６が対向する方向）の寸法Ａは２４０ｍｍ、長辺方向２０（短辺方向１９に直交する方向）の寸法Ｂは、５１０ｍｍに設定されている。もっとも、寸法Ａ及び寸法Ｂは特に限定されるものではなく、釣魚トレイ１０が収容される保冷庫のサイズに合わせて適宜設計変更され得る。
【００４０】
金属板２１の折り曲げられた部分２６、２７が上記側板部１７、１８を形成している。図３が示すように、側板部１７、１８は、基板部１４に対して短辺方向１９について対称に配置されている。側板部１７、１８の高さ寸法Ｃは、本実施形態では３５ｍｍに設定されているが、３０ｍｍ〜８０ｍｍの範囲で適宜設定され得る。本実施形態では、側板部１７、１８の上縁部２８が屈曲されて折り返されている。このように上縁部２８が折り返されることによる作用効果は後述される。もっとも、この上縁部２８が折り返されていなくてもよい。
【００４１】
３．段丘部材
【００４２】
図４は、第１段丘部材１２の斜視図である。図５は、第２段丘部材１３の斜視図である。図６は、図４におけるVI−VI断面図、図７は、図５におけるVII−VII断面図である。図８は、図４における要部拡大図、図９は、図５の要部拡大図である。図１０は第１段丘部材１２の裏面側斜視図、図１１は、第２段丘部材１３の裏面側斜視図である。
【００４３】
図４及び図５が示すように、第１段丘部材１２及び第２段丘部材１３は、本実施形態では樹脂（典型的にはポリプロピレン（ＰＰ）、ポリオキシメチレン（ＰＯＭ）、アクリロニトリルブタジエンスチレン共重合体（ＡＢＳ）、ポリカーボネート（ＰＣ））からなり、金型を用いて成形されている。図６及び図７が示すように、第１段丘部材１２及び第２段丘部材１３は、薄肉の樹脂により形成されている。これらが樹脂により構成されることによる作用効果は後述される。もっとも、第１段丘部材１２及び第２段丘部材１３が金属から構成されてもよい。
【００４４】
図１が示すように、第１段丘部材１２及び第２段丘部材１３は、トレイ本体１１の両端縁２４、２５に取り付けられ、それぞれ、トレイ本体１１の一端縁２４及び他端縁２５（図２参照）から外側に向かって張り出している。釣人は、第１段丘部材１２及び第２段丘部材１３の天板部２９（特許請求の範囲に記載された「段丘部材の上面」に相当）に指を掛けることができ、これにより、第１段丘部材１２及び第２段丘部材１３は、当該釣魚トレイ１０の把手として機能する。各段丘部材１２、１３がトレイ本体１１に取り付けられることにより、第１段丘部材１２、第２段丘部材１３及びトレイ本体１１が協働して収容室３３が区画される。この収容室３３は、上方が開放され、基板部１４の載置面３２を底面とする空間からなる。釣魚は、この収容室３３内に安定的に収容される。
【００４５】
図１２は、図４におけるXII−矢視図であり、図１３は、図５におけるXIII−矢視図である。
【００４６】
図４（図６）、図５（図７）及び図１２（図１３）が示すように、第１段丘部材１２及び第２段丘部材１３のそれぞれの下縁部に嵌合凹部３４が設けられている。各嵌合凹部３４は、スリット状の溝からなり、真直溝３５（図６、図７、図１２、図１３参照）及び一対の屈曲溝３６（図８、図１０参照）を有する。嵌合凹部３４の形状は、トレイ本体１１の断面形状に対応している（図３、図１２、図１３参照）。したがって、トレイ本体１１の一端縁２４及び他端縁２５（図２参照）は、上記嵌合凹部３４に長辺方向２０に沿って嵌め込まれている。
【００４７】
図１が示すように、トレイ本体１１の一端縁２４（図２参照）は、ネジ３８を介して第１段丘部材１２の下縁部に締結されている。図４が示すように、第１段丘部材１２の下縁部に５つのネジ螺合部３９が設けられている。各ネジ螺合部３９は、開口４０を有し、この開口４０と連通するナット４１が形成されている（図６参照）。ネジ３８（図１参照）は、上記開口４０から挿通され、上記嵌合凹部３４に嵌め込まれた基板部１４を貫通してナット４１にねじ込まれる。なお、第２段丘部材１３も同様にして基板部１４に締結されている。したがって、ネジ３８が着脱されることにより、第１段丘部材１２及び第２段丘部材１３が容易にトレイ本体１１に対して着脱される。
【００４８】
図４及び図１が示すように、第１段丘部材１２の内壁４２に第１湾処部４３が形成されている。この第１湾処部４３は、上記内壁４２の中央部に配置されており、トレイ本体１１の外側（長辺方向２０の外向き）に向かって凹んでいる。すなわち、第１湾処部４３の内壁４４は、上記内壁４２の中央部が長辺方向２０の外側にスライドされた状態である。この第１湾処部４３の内底部４５（特許請求の範囲に記載された「内奥部」に相当）に排水孔４６が設けられている（図８参照）。本実施形態では、この排水孔４６は、短辺方向１９に延びる細長の孔であり、当該第１湾処部４３を貫通している。本実施形態では、２つの排水孔４６が設けられているが、排水孔４６の形状や数は特に限定されるものではない。ただし、排水孔４６は、第１湾処部４３の内奥部に形成されているのが好ましい。
【００４９】
図４及び図６が示すように、第１段丘部材１２の下縁部に案内面４８が形成されている（図８参照）。この案内面４８は、排水孔４６に向かって傾斜し、当該排水孔４６と連通している。本実施形態では、排水孔４６に対応して２つの案内面４８が形成されているが、排水孔４６の数及び位置に対応して案内面４８が形成される。図４、図８が示すように、案内面４８は漏斗状に形成されており、水分を収集して排水孔４６に導くことができる。
【００５０】
図９及び図６が示すように、第１段丘部材１２の外底面４９に突起５０（特許請求の範囲に記載された「一方の段丘部材の第１湾処部の外底面に設けられた突起」に相当）が設けられている。この突起５０は、短辺方向１９に沿って所定のピッチＰ１で並設されている。本実施形態では２つの突起５０が設けられているが、３つ以上の突起５０が設けられていてもよい。この突起５０が設けられることによる作用効果については後述される。図１及び図４が示すように、第１段丘部材１２の天板部２９に２つの係合孔５１が設けられている。この係合孔５１は、天板部２９を上下方向３７に貫通している。係合孔５１は、短辺方向１９に所定の間隔Ｓ１を空けて配置されている。係合孔５１の周縁部は面取加工が施されている。もっとも、かかる面取加工は省略されてもよい。
【００５１】
図１が示すように、トレイ本体１１の他端縁２５（図２参照）は、ネジ３８を介して第２段丘部材１３の下縁部に締結されている。図５及び図７が示すように、第２段丘部材１３の下縁部に５つのネジ螺合部３９が設けられている。前述のように、各ネジ螺合部３９の構造は、第１段丘部材１２に設けられたネジ螺合部３９と同様である。すなわち、ネジ螺合部３９は、開口４０を有し、この開口４０と連通するナット４１が形成されている（図７、図９参照）。ネジ３８（図１参照）は、上記開口４０から挿通され、上記嵌合凹部３４に嵌め込まれた基板部１４を貫通してナット４１にねじ込まれる。
【００５２】
図５、図９及び図１が示すように、第２段丘部材１３の内壁５２に一対の第２湾処部５３が形成されている。この第２湾処部５３は、上記内壁５２の短辺方向１９の隅部に設けられている。すなわち、第２湾処部５３は、内壁５２の中央部４７の両側に配置されており、トレイ本体１１の外側（長辺方向２０の外向き）に向かって凹んでいる。換言すれば、第２湾処部５３の内壁５４は、上記内壁５２の隅部が長辺方向２０の外側にスライドされた状態である。内壁５２の中央部４７の幅寸法Ｍは、上記第１湾処部４３の短辺方向１９の長さ（図４参照）に対応している。
【００５３】
各第２湾処部５３の内底部５５（特許請求の範囲に記載された「内奥部」に相当）に排水孔５６が設けられている。この排水孔５６は、上記排水孔４６（図４参照）と同様に、短辺方向１９に延びる細長の孔であり、当該第２湾処部５３を貫通している。本実施形態では、各第２湾処部５３にそれぞれ単一の排水孔５６が設けられているが、排水孔５６の形状や数は特に限定されるものではない。ただし、排水孔５６は、第２湾処部５３の内奥部に形成されているのが好ましい。本実施形態では、第１湾処部４３及び第２湾処部５３が前述の構造であるが、かかる構造に限定されるものではない。
【００５４】
図５、図７及び図９が示すように、第２段丘部材１３の下縁部に案内面５８が形成されている。案内面５８は、第１段丘部材１２の案内面４８（図４参照）と同様に、排水孔５６に向かって傾斜している。図５、図９が示すように、案内面５８は漏斗状に形成されており、水分を収集して排水孔４６に導くことができる。
【００５５】
図１１及び図７が示すように、第２段丘部材１３の外底面４９に突起６０が設けられている。この突起６０は、上記突起５０（図６、図１０参照）と同様の形状であり、短辺方向１９に沿って所定のピッチＰ２で並設されている。本実施形態では２つの突起６０が設けられているが、３つ以上の突起６０が設けられていてもよい。図１及び図５が示すように、第２段丘部材１３の天板部２９に２つの係合孔６１（特許請求の範囲に記載された「上記突起が係合可能な係合孔」に相当）が設けられている。この係合孔６１は、上記係合孔５１（図４参照）と同様の形状であり、天板部２９を上下方向３７に貫通している。係合孔６１は、短辺方向１９に所定の間隔Ｓ２を空けて配置されている。係合孔６１の周縁部は、上記係合孔５１と同様に面取加工が施されている。もっとも、かかる面取加工は省略されてもよい。
【００５６】
上記ピッチＰ１（図１０参照）は間隔Ｓ２（図５参照）に対応し、上記ピッチＰ２（図１１参照）は間隔Ｓ１（図４参照）に対応している。
【００５７】
４．作用効果
【００５８】
釣人は、釣魚を釣魚トレイ１０の収容室３３（図１参照）に安定的に配置することができる。釣人は、第１及び第２段丘部材１２、１３を把手として使用し、釣魚トレイ１０をたとえばクーラーボックスの庫内に容易に収容することができる。一般に、庫内に氷その他の保冷材も収容される。釣魚は釣魚トレイ１０に収容されているから、保冷材と直接に接触することがない。仮に保冷材から水が発生し、釣魚トレイ１０の収容室３３に侵入したとしても、この水は、第１段丘部材１２及び第２段丘部材１３の第１湾処部４３及び第２湾処部５３へ流れ、排水孔４６、５６から外部へ排出される。したがって、釣魚に過剰な水分が付着することがなく、釣魚の劣化が防止される。
【００５９】
一の釣魚トレイ１０の上に他の釣魚トレイ１０が積み重ねられる（図１参照）。すなわち、他の釣魚トレイ１０が長辺方向２０に反転され、一の釣魚トレイ１０の上に重ねられる。このとき、第２段丘部材１３が第１段丘部材１２の上に配置される。第１段丘部材１２の形状は第２段丘部材１３の形状と異なるので、第１湾処部４３の外底面４９（図６参照）が第２段丘部材１３の天板部２９の上に当接する。これにより、両釣魚トレイ１０は各段丘部材１２、１３の高さ寸法に対応する隙間を形成して上下に重なり合う。したがって、複数の釣魚が整列してクーラーボックス内に配置され、しかも、釣魚同士の接触、釣魚と釣魚トレイとの接触、あるいは釣魚と保冷材との接触が回避される。
【００６０】
加えて、他の釣魚トレイ１０内に発生した水は、上記排水孔４６、５６を通じて外部へ排出されるが、この排水孔４６、５６は前述の位置に配置されているから、他の釣魚トレイ１０から排出された水が一の釣魚トレイ１０の収容室３３内に侵入することがなく、確実に第１湾処部４３あるいは第２湾処部５３に落下する。その結果、多数の釣魚がクーラーボックス内に収容されたとしても、水による釣魚の劣化が防止される。
【００６１】
本実施形態では、図４及び図５が示すように、案内面４８、５８が設けられているから、第１湾処部１２及び第２湾処部１３に流れた水分は、案内面４８、５８に案内されて速やかに排水孔４６、５６から排出される。
【００６２】
なお、第１段丘部材１２同士及び第２段丘１３同士が上下に重なるように複数の釣魚トレイ１０が積み重ねられると、第１湾処部４３同士及び第２湾処部５３同士が重なり合うので、両釣魚トレイ１０は、上下に嵌め合わされ、密に重なり合うことができる。したがって、複数の釣魚トレイがコンパクトに収納され得る。
【００６３】
本実施形態では、前述のように複数の釣魚トレイ１０が互いに反転して積み重ねられる場合、下段の釣魚トレイ１０の第２湾処部５３の上に上段の釣魚トレイ１０の第１湾処部４３が当接するが、上記突起５０（図６参照）が上記係合孔６１に嵌め合わされ、上記突起６０（図７参照）が上記係合孔５１に嵌め合わされる。これにより、積み重ねられた釣魚トレイ１０同士が位置決めされ、安定して積み上げられる。
【００６４】
本実施形態では、第１段丘部材１２、第２段丘部材１３が樹脂により成形されるので、トレイ本体１１とは別部材として構成される。また、各段丘部材１２、１３が複雑な形状であっても、簡単且つ安価に成形され、釣魚トレイ１０の製造コストが抑えられる。各段丘部材１２、１３は、トレイ本体１１の端部に嵌め込まれるだけで（図１参照）、簡単に釣魚トレイ１０が組み立てられる。本実施形態では、各段丘部材１２、１３は、トレイ本体１１側にネジ３８により締結されているので、トレイ本体１１に対して簡単に着脱される。したがって、トレイ本体１１のサイズ（上記寸法Ｂ）が変更された場合であっても、各段丘部材１２、１３の互換性が維持される。その結果、クーラーボックスの容量に合致した様々なサイズの釣魚トレイ１０が簡単に製造されるという利点がある。
【００６５】
本実施形態では、トレイ本体１１が単一の金属板２１からなるので、トレイ本体１１の熱伝導率が高く、釣魚の保冷効果が高くなるという利点がある。
【００６６】
本実施形態では、トレイ本体１１の側板部１７、１８の上縁部２８が外側に折り返されているので、トレイ本体１１の剛性が向上し、釣人にとって釣魚トレイ１０のハンドリングがより容易になる。
【００６７】
５．変形例
【００６８】
図１４は、本実施形態の第１の変形例にかかるトレイ本体７１の断面図である。
【００６９】
本変形例に係るトレイ本体７１が上記実施形態に係るトレイ本体１１と異なるところは、トレイ本体１１の基板部１４がほぼ平坦な部材であるのに対し、トレイ本体７１の基板部７４は、載置面３２が上方に凸となる曲面に形成されている点である。すなわち、上記載置面３２の中央部に頂７０が形成されており、当該載置面３２は、側縁１５、１６に向かって下方に傾斜している。
【００７０】
この変形例によれば、基板部７４上の水分は、速やかに基板部７４と側板部１７、１８との境界の方へ、あるいは第１段丘部材１２側、第２段丘部材１３側へ流れる。したがって、余分な水分が釣魚に付着することが確実に防止される。
【００７１】
図１５は、本実施形態の第２の変形例にかかる第１段丘部材８２、第２段丘部材８３の構造を示す斜視図である。
【００７２】
本変形例に係る第１段丘部材８２、第２段丘部材８３が上記実施形態に係る第１段丘部材１２、第２段丘部材１３と異なるところは、第１段丘部材８２、第２段丘部材８３に切欠部８４が設けられている点である。この切欠部８４は、天板部２９の端縁中央に設けられており、本変形例では、円弧状に切り欠かれている。
【００７３】
この変形例では、釣人の指が切欠部８４に接触することにより、釣人は、釣魚トレイ１０の中央を容易に把握することができ、安定的に持つことができる。また、前述のように複数の釣魚トレイ１０が積み重ねられる場合、釣人は、下段の釣魚トレイ１０に設けられた切欠部８４に対して上段の釣魚トレイ１０に設けられた切欠部８４を簡単に位置合わせすることができる。その結果、釣魚トレイ１０の積み上げ作業が容易になる。
【００７４】
また、第１段丘部材１２及び第２段丘部材１３にそれぞれ異なる色が付されていてもよい。この場合、天板部２９のみの色が変更されてもよいし、カラーテープ等が付着されてもよい。このように、第１段丘部材１２及び第２段丘部材１３に異なる色が付されることにより、釣人が釣魚トレイ１０を積み重ねる場合に、同色同士を隣り合わせにすれば各釣魚トレイ１０は密着して重ね合わされ、異なる色同士を隣り合わせにすれば、上下に隙間を空けて積み重ねられる。したがって、釣魚トレイの積み重ね作業がより円滑に行えるという利点がある。
【符号の説明】
【００７５】
１０・・・釣魚トレイ
１１・・・トレイ本体
１２・・・第１段丘部材
１３・・・第２段丘部材
１４・・・基板部
１５・・・側縁
１６・・・側縁
１７・・・側板部
１８・・・側板部
２１・・・金属板
２２・・・所定部位
２３・・・所定部位
２４・・・一端縁
２５・・・他端縁
２６・・・折り曲げられた部分
２７・・・折り曲げられた部分
２８・・・上縁部
２９・・・天板部
３２・・・載置面
３３・・・収容室
３４・・・嵌合凹部
３７・・・上下方向
３８・・・ネジ
４２・・・内壁
４３・・・第１湾処部
４４・・・内壁
４５・・・内底部
４６・・・排水孔
４７・・・中央部
４８・・・案内面
４９・・・外底面
５０・・・突起
５１・・・係合孔
５２・・・内壁
５３・・・第２湾処部
５６・・・排水孔
６０・・・突起
６１・・・係合孔
７０・・・頂
７１・・・トレイ本体
８２・・・第１段丘部材
８３・・・第２湾処部材
８４・・・切欠部
【図１】
2019103411.tif 000003
【図２】
2019103411.tif 000004
【図３】
2019103411.tif 000005
【図４】
2019103411.tif 000006
【図５】
2019103411.tif 000007
【図６】
2019103411.tif 000008
【図７】
2019103411.tif 000009
【図８】
2019103411.tif 000010
【図９】
2019103411.tif 000011
【図１０】
2019103411.tif 000012
【図１１】
2019103411.tif 000013
【図１２】
2019103411.tif 000014
【図１３】
2019103411.tif 000015
【図１４】
2019103411.tif 000016
【図１５】
2019103411.tif 000017